(57)【要約】【課題】長期間にわたり位置ずれすることなくバスバーにハウジングを組付けることができる、簡易な構造の電流検出装置の組付け構造を提供すること。【解決手段】バスバー２０には、該バスバー２０の幅方向の端部から中央に向けて切り込まれた切欠き２１、２２および該バスバー２０を貫通する孔２３が形成され、バスバー２０をハウジング３０によってインサート成形する際に、バスバー２０の切欠き２１、２２および孔２３の少なくとも一方に樹脂が入り込んだ状態で、該ハウジング３０が該バスバー２０に固着される。【選択図】図３
2010181184.tif 000002
【特許請求の範囲】
【請求項１】
バスバーと、
前記バスバーから発生する磁気を検出するための磁気検出素子を設けたセンサ本体を有する、前記バスバーをインサート成形したハウジングと、
を備え、
前記バスバーには、該バスバーの幅方向の端部から中央に向けて切り込まれた切欠きおよび該バスバーを貫通する孔が形成され、
前記バスバーを前記ハウジングによってインサート成形する際に、前記バスバーの前記切欠きおよび前記孔の少なくとも一方に樹脂が入り込んだ状態で、該ハウジングが該バスバーに固着される、
ことを特徴とする電流検出装置の組付け構造。
【発明の詳細な説明】
【技術分野】
【０００１】
本発明は、バスバーに組み付けるセンサ本体の位置ずれを、簡易な構造で長期にわたり防止できるようにした電流検出装置の組付け構造に関する。
【背景技術】
【０００２】
従来、バッテリーのターミナルに接続されたハーネスに流れる電流から発生する磁束を検出することにより、バッテリーと車輌電装品との間を流れる電流値を検出するための電流検出装置が各種知られている（例えば、特許文献１参照）。
【０００３】
例えば、上記の特許文献１に記載の電流検出装置１００にあっては、図５及び図６に示すように、この電流検出装置１００のハウジング１１０が、内部に部品収容室１１１が形成されたハウジング本体１１２と、この上面に固定され、部品収容室１１１を塞ぐ蓋体１１３とから構成されている。そして、この電流検出装置１００では、図６に示すように、ハウジング１１０にコア１０１とこのコア１０１のギャップに配置されるホール素子１０２とを収容するのと同時に、このハウジング１１０には通電体であるバスバー１２０を貫通させた状態で一体に設けてある。
【０００４】
従って、この電流検出装置１００では、バスバー１２０とコア１０１とが一定の位置関係にあり、常に所定の出力特性が得られるようになっている。従って、この電流検出装置によれば、常に所定の出力特性が得られるので、検出精度の高い電流センサが得られる。
【０００５】
なお、ハウジング本体１１２には、図６に示すように、コネクタ部１１６が一体に設けられ、このコネクタ部１１６を介して外部より電源供給を受けると共に、ホール素子１０２の検出出力を出力するようになっている。また、ハウジング本体１１２（ハウジング１１０）の両側に突出したバスバー１２０の両端部には接続部であるボルト挿通孔１２０Ａがそれぞれ形成されており、このボルト挿通孔１２０Ａを利用してバスバー１２０に検出電流が通電される。
【先行技術文献】
【特許文献】
【０００６】
【特許文献１】特開２００６−１４５２３８号公報
【発明の概要】
【発明が解決しようとする課題】
【０００７】
ところで、上記の電流検出装置では、電流検出装置のハウジング本体がバスバーを一体にしたインサート成形によって形成されているが、バスバーが単純なストレート形状である。このため、例えばハウジング本体を構成する樹脂が経時変化や温度変化などによる膨張収縮により、ハウジング本体とバスバーとの間の結合強度が弱まると、この電流検出装置を設置する対象によっては、特に車両等に設置した場合、外部からの衝撃が加わることなどで位置ずれを起こす虞がある。
【０００８】
本発明は、上述した事情に鑑みてなされたものであり、その目的は、長期間にわたり位置ずれすることなくバスバーにハウジングを組付けることができる、簡易な構造の電流検出装置の組付け構造を提供することにある。
【課題を解決するための手段】
【０００９】
前述した目的を達成するために、本発明に係る電流検出装置の組付け構造は、下記（１）を特徴としている。
（１）  バスバーと、
前記バスバーから発生する磁気を検出するための磁気検出素子を設けたセンサ本体を有する、前記バスバーをインサート成形したハウジングと、
を備え、
前記バスバーには、該バスバーの幅方向の端部から中央に向けて切り込まれた切欠きおよび該バスバーを貫通する孔が形成され、
前記バスバーを前記ハウジングによってインサート成形する際に、前記バスバーの前記切欠きおよび前記孔の少なくとも一方に樹脂が入り込んだ状態で、該ハウジングが該バスバーに固着される、
こと。
【００１０】
上記（１）の構成の電流検出装置の組付け構造によれば長期間にわたり位置ずれすることなくバスバーにハウジングを組付けることができる電流検出装置の組付け構造を、簡易な構造で提供できる。
【発明の効果】
【００１１】
本発明の電流検出装置の組付け構造によれば、ハウジングは、バスバーに設けられた切欠きに入り込んだ樹脂によって、バスバーに強固に一体に固着されることとなり、長期間にわたり位置ずれすることなくバスバーにハウジングを組付ける電流検出装置が簡易な構造で実現できる。
【００１２】
以上、本発明について簡潔に説明した。更に、以下に説明される発明を実施するための形態を添付の図面を参照して通読することにより、本発明の詳細は更に明確化されるであろう。
【図面の簡単な説明】
【００１３】
【図１】（Ａ）及び（Ｂ）は本発明の第１の実施形態に係る電流検出装置の構成を示す平面図及びＢ−Ｂ線断面図ある。
【図２】図１におけるＩＩ−ＩＩ線断面図である。
【図３】（Ａ）は図１に示す電流検出装置のバスバーを示す平面図、（Ｂ）はそのバスバーにハウジングを組み付けた状態を示す平面図である。
【図４】図１に示す電流検出装置の製造の際に金型内部にバスバーなどをセットさせた状態を示す断面図である。
【図５】従来の電流検出装置を示す斜視図である。
【図６】その図５のＶＩ−ＶＩ線面図である。
【発明を実施するための最良の形態】
【００１４】
以下、本発明に係る好適な実施形態を図面に基づいて詳細に説明する。
（第１の実施形態）
図１及び図２は本発明に係る電流検出装置の組付け構造を用いた電流検出装置１０を示すものであり、この電流検出装置１０は、例えば、車両内に配索されたバスバーに設置されており、係合部２０Ａ（図２参照）を有するバスバー２０と、センサ本体３０Ａ及びコネクタ３０Ｂ（図２参照）を設けたハウジング３０と、磁気シールド体４０と、を備えている。
【００１５】
また、このバスバー２０には、バスバー２０とセンサ本体３０とを、位置ずれが発生しないように安定して一体に固定させるため、前述の係合部２０Ａを有している。本実施形態の係合部２０Ａは、図３に示すように、バスバー２０の幅方向中央に向けて切り込まれた切欠き状に形成された、中央部両側に略コ字状に切り欠いた係合溝２１、２２と、他端部寄り中央に略矩形状に開口した、バスバー２０の表面から裏面に貫通する係合孔２３とで構成している。
【００１６】
本実施形態では、ハウジング３０成形の際に、樹脂が係合溝２１、２２および係合孔２３に入り込んだ状態で固化する。このため、ハウジング３０の一部が係合溝２１、２２および係合孔２３に固着されることとなる。従って、ハウジング３０成形用の樹脂が経時変化や温度変化などによって膨張収縮したとしても、ハウジング３０がバスバー２０に対して安定した状態で一体に組み付けられているので、常時位置ずれが防止できるわけである。
【００１７】
本実施形態のハウジング３０は、適宜の合成樹脂材料などの非磁性及び非導電性の材料でバスバー２０と一体にインサート成形したものであって、ハーネス寄り（図２では左側）の端部側から、順に、センサ本体３０Ａ、コネクタ部３０Ｂで構成される。
【００１８】
センサ本体３０Ａは、周囲四方向を立壁で囲まれた磁気室３１内に基板Ｐを設置しており、この基板Ｐ上に磁気検出素子Ｇを実装している。この磁気検出素子Ｇは、バスバー２０を流れる電流Ｉに伴って発生する磁界の強さを検出させるものであり、例えば本実施形態では、磁気検出素子Ｇとしてホール効果を利用したホール素子を用いている。このホール素子は、発生する磁界を電気信号に変換して出力するものであり、例えば（バスバー２０を流れる電流Ｉの強さに応じて発生する）磁界に比例した出力電圧を出力する。
【００１９】
コネクタ部３０Ｂは、図示外の信号線に取付けてある図示外のコネクタを連結させるためのものであり、本実施形態では周囲四方向が立壁で囲まれた部屋（コネクタ室３２）がコネクタを構成している。なお、この信号線は、磁気検出素子Ｇで検出する磁界の強さに応じた電気信号を図示外の制御ＩＣ部などへ伝達させるためのものであり、特に本発明で必須のものではない。即ち、磁気検出素子Ｇで得られたセンサ出力を所望の外部（例えば、本実施形態では制御ＩＣなど）へ取り出すための手段として、これ以外に、例えば直接リード線で外部へ取り出したり、無線で外部へ送信するなど各種の構成が可能である。さらに、コネクタ部３０Ｂは、係合部２０Ａとの協働作用によって、バスバー２０とのインサート成形後のハウジング３０に位置のずれが発生するのを防止するものであり、本実施形態では、ハウジング３０の成形の際の金型内にセットしたバスバー２０の係合溝２１、２２または係合孔２３に入り込んだ樹脂によって、ハウジング３０がバスバーに強固に一体に固着されることとなる。
【００２０】
磁気シールド体４０は、適宜の磁性材料で形成されており、ハウジング３０のセンサ本体３０Ａ及びバスバー２０の周囲を外から覆うような状態でセンサ本体３０Ａに外装し、磁気シールドする。本実施形態の磁気シールド体４０は、センサ本体３０Ａをバスバー２０の下方（外側）から包持させセンサ本体３０Ａに一体に固定させるため、底面４１及びバスバー２０の側方（長手方向）に沿って形成された一対の側壁面４２を備えている。また、この磁気シールド体４０には、側壁面４２の四隅に立爪４２Ａを設けており、これらの立爪４２Ａがセンサ本体３０Ａの側面上端に上から当接する。
【００２１】
磁気検出素子Ｇは、図１に示すバスバー２０での電流Ｉの流れに対して、この電流Ｉの周囲に回るように発生する磁束を検出させるものである。このため、磁気検出素子Ｇは、バスバー２０に流れる電流Ｉの磁束密度を検出する平面方向（つまり、Ｘ−Ｙ面）に配置してあり、バスバー２０の平面に垂直なＺ方向の磁束検出は検出しない。このように、バスバー２０のＸ−Ｙ平面に垂直なＺ方向については、磁気検出素子（ホール素子）Ｇが磁束を検出しない方向である。このような事情から、磁気検出素子Ｇは形状的に上部が開いているが、これによって正確な磁気検出を行う際に悪影響をもたらすことはない。
【００２２】
従って、本実施形態に係る車両内の電流検出装置１０によれば、ハウジング３０は、このハウジング３０成形時に係合溝２１、２２および係合孔２３に樹脂が入り込んだ状態で、バスバー２０に一体に固着される。この結果、簡易な構造であっても、長期間にわたり、位置ずれなくバスバー２０にハウジング３０をしっかりと組み付けておくことができる。
【００２３】
従って、例えばハウジング３０を構成する樹脂が経時変化や温度変化などによる膨張収縮により、ハウジング３０とバスバー２０との間の結合強度が低下したとしても、バスバー２０に対してハウジング３０が位置的ずれを起こすのを阻止できる。特に、この電流検出装置を車両等に設置した場合には、振動に伴い外部から衝撃が加わることがあるが、このような場合であっても位置ずれを起こすことが効果的に回避できる。
【００２４】
次に、本実施形態に係る電流検出装置１０の組付け方法について説明する。
この電流検出装置１０の組付け方法は、金属系部材のセット工程Ｓ１と、射出工程Ｓ２と、センサ実装工程Ｓ３と、外装工程Ｓ４と、を備えている。
【００２５】
金属系部材のセット工程Ｓ１は、図４に示す上下の金型Ｍ１、Ｍ２内のキャビテイＣに、予め、バスバー２０を固定させてセットしておく。また、上金型Ｍ１には，入力端子Ｔ１及び出力端子Ｔ２を構成する金属Ｔを固定させてセットしておく。なお、本実施形態では、パーティングライン（Ｐ．Ｌ．）をバスバー２０の上面に設定してある。また、金型Ｍ１、Ｍ２を開いたときに金属Ｔの離型が困難であるようであれば、上金型Ｍ１を図示のような破線で３分割可能なもので構成してもよい。
【００２６】
射出工程Ｓ２は、係合溝２１、２２、および係合孔２３にハウジング３０成形用の樹脂が回り込むように、図示外のゲートから金型内のキャビテイＣに向けて樹脂を射出することより、バスバー２０と一体でハウジング３０を一体成形させる。その後、冷却させて樹脂が固化したならば、上下の金型Ｍ１、Ｍ２を開き、バスバー２０と一体となったハウジング３０を金型Ｍ１、Ｍ２内部から取り出す。
【００２７】
センサ実装工程Ｓ３では、成形後のハウジング３０のセンサ本体３０Ａにある磁気室３１内部に基板Ｐを設置するとともにこれに磁気検出素子Ｇなどを搭載し、磁気検出素子Ｇと入力端子Ｔ１との間に配線などを行う。
【００２８】
外挿工程Ｓ４では、センサ本体３０Ａ内の磁気検出素子Ｇ及びバスバー２０の周囲を外側から覆うような状態で磁気シールドする磁気シールド体４０を、ハウジング３０に外挿させて組み付ける。これにより、センサ３０にバスバー２０及び磁気シールド体４０が一体に組み付けられて固定される。
【００２９】
従って、本実施形態に係る車両内の電流検出装置１０の組付け方法によれば、簡易な構造で、長期間にわたり位置ずれすることなくバスバー２０にハウジング３０を組付けることができるようになる。
【００３０】
なお、本発明の電流検出装置は、これらの実施形態のような車両内のシステムの一部としての適用に限定されるものではなく、バスバーを備えたものであれば、各種分野での電流検出装置としての適用が可能である。特に、振動などが激しい乗り物などに適用すれば、長期間にわたる振動を受けても、バスバー２０に対してハウジング３０の位置のずれが防止できるので、正確な電流検出が長期間確保でき信頼性が向上する。
【符号の説明】
【００３１】
１０  電流検出装置
２０  バスバー
２１、２２  係合溝（係合部）
２３  係合孔（係合部）
３０  ハウジング
３０Ａ  センサ本体
３０Ｂ  コネクタ部
３１  磁気室
３２  コネクタ室（メス型コネクタ）
４０  磁気シールド体
４２Ａ  立爪
Ｇ  磁気検出素子（ホール素子）
Ｐ  基板
Ｔ１  入力端子
Ｔ２  出力端子
【図１】
2010181184.tif 000003
【図２】
2010181184.tif 000004
【図３】
2010181184.tif 000005
【図４】
2010181184.tif 000006
【図５】
2010181184.tif 000007
【図６】
2010181184.tif 000008